(57)【要約】【課題】アクチュエータの破損を抑制できるコネクタを提供すること。【解決手段】コネクタは、ケーブルに面する表面である第１主面を備えるインシュレータと、ケーブルと基板とを電気的に接続するコンタクトと、基板に平行な回転軸を中心に回転できるアクチュエータと、を備える。アクチュエータは、回転軸に平行な方向の端部に位置する側壁を備える。側壁は、アクチュエータがケーブルに近付く方向に回転させられた時に第１主面に面する表面である第２主面を備える基部と、基部から突出しアクチュエータの回転を規制する位置規制部と、を備える。【選択図】図９
2019153540.tif 000002
【特許請求の範囲】
【請求項１】
ケーブルに面する表面である第１主面を備えるインシュレータと、
前記ケーブルと基板とを電気的に接続するコンタクトと、
前記基板に平行な回転軸を中心に回転できるアクチュエータと、
を備え、
前記アクチュエータは、前記回転軸に平行な方向の端部に位置する側壁を備え、
前記側壁は、前記アクチュエータが前記ケーブルに近付く方向に回転させられた時に前記第１主面に面する表面である第２主面を備える基部と、前記基部から突出し前記アクチュエータの回転を規制する位置規制部と、を備える
コネクタ。
【請求項２】
前記位置規制部は、前記アクチュエータが前記ケーブルから遠ざかる方向に回転させられた時に、前記基板に接する
請求項１に記載のコネクタ。
【請求項３】
前記位置規制部は、前記基部から、前記第２主面のある方向とは反対方向に突出する
請求項２に記載のコネクタ。
【請求項４】
前記位置規制部は、前記基部から、前記回転軸に対して直交し且つ前記第２主面と平行な方向に突出する
請求項１から３のいずれか１項に記載のコネクタ。
【請求項５】
前記第２主面が前記第１主面と平行である状態で、前記側壁は、前記インシュレータよりも、前記回転軸に対して直交し且つ前記第２主面と平行な方向に突出する
請求項１から４のいずれか１項に記載のコネクタ。
【請求項６】
前記基部は、前記アクチュエータが前記ケーブルから遠ざかる方向に回転させられた時に、前記インシュレータに接する
請求項１から５のいずれか１項に記載のコネクタ。
【請求項７】
前記アクチュエータは、２つの前記側壁と、一方の前記側壁から他方の前記側壁に亘る第１プレートと、を備え、
前記第１プレートは、前記アクチュエータが前記ケーブルから遠ざかる方向に回転させられた時に、前記インシュレータに接する
請求項１から６のいずれか１項に記載のコネクタ。
【請求項８】
前記アクチュエータは、一方の前記側壁から他方の前記側壁に亘り且つ前記第１プレートに対して交差する第２プレートを備える
請求項７に記載のコネクタ。
【請求項９】
前記基板に対して直交する方向から見て、前記側壁の位置は、複数の前記コンタクトの位置に対してずれている
請求項１から８のいずれか１項に記載のコネクタ。
【発明の詳細な説明】
【技術分野】
【０００１】
本発明は、コネクタに関する。
【背景技術】
【０００２】
フレキシブル回路基板（Flexible  Printed  Circuit：ＦＰＣ）又はフレキシブルフラットケーブル（Flexible  Flat  Cable：ＦＦＣ）等（以下、ケーブルという）を基板に接続するためにコネクタが用いられる。特許文献１にはコネクタの一例が記載されている。特許文献１のコネクタは、ハウジングに対して回転できるカバー部材を備える。
【先行技術文献】
【特許文献】
【０００３】
【特許文献１】特開２０１４−２６７６５号公報
【発明の概要】
【発明が解決しようとする課題】
【０００４】
しかし、カバー部材に過剰な力が加えられる場合、カバー部材の破損が生じる可能性がある。このため、カバー部材の破損を抑制できるコネクタが求められている。
【課題を解決するための手段】
【０００５】
１つの態様のコネクタは、ケーブルに面する表面である第１主面を備えるインシュレータと、前記ケーブルと基板とを電気的に接続するコンタクトと、前記基板に平行な回転軸を中心に回転できるアクチュエータと、を備え、前記アクチュエータは、前記回転軸に平行な方向の端部に位置する側壁を備え、前記側壁は、前記アクチュエータが前記ケーブルに近付く方向に回転させられた時に前記第１主面に面する表面である第２主面を備える基部と、前記基部から突出し前記アクチュエータの回転を規制する位置規制部と、を備える。
【０００６】
前記位置規制部は、前記アクチュエータが前記ケーブルから遠ざかる方向に回転させられた時に、前記基板に接してもよい。
【０００７】
前記位置規制部は、前記基部から、前記第２主面のある方向とは反対方向に突出してもよい。
【０００８】
前記位置規制部は、前記基部から、前記回転軸に対して直交し且つ前記第２主面と平行な方向に突出してもよい。
【０００９】
前記第２主面が前記第１主面と平行である状態で、前記側壁は、前記インシュレータよりも、前記回転軸に対して直交し且つ前記第２主面と平行な方向に突出してもよい。
【００１０】
前記基部は、前記アクチュエータが前記ケーブルから遠ざかる方向に回転させられた時に、前記インシュレータに接してもよい。
【００１１】
前記アクチュエータは、２つの前記側壁と、一方の前記側壁から他方の前記側壁に亘る第１プレートと、を備え、前記第１プレートは、前記アクチュエータが前記ケーブルから遠ざかる方向に回転させられた時に、前記インシュレータに接してもよい。
【００１２】
前記アクチュエータは、一方の前記側壁から他方の前記側壁に亘り且つ前記第１プレートに対して交差する第２プレートを備えてもよい。
【００１３】
前記基板に対して直交する方向から見て、前記側壁の位置は、複数の前記コンタクトの位置に対してずれていてもよい。
【発明の効果】
【００１４】
コネクタにおいては、位置規制部によってアクチュエータの過剰な回転が抑制される。したがって、コネクタは、アクチュエータの破損を抑制できる。
【図面の簡単な説明】
【００１５】
【図１】図１は、実施形態のコネクタ及びケーブルの斜視図である。
【図２】図２は、実施形態のコネクタの斜視図である。
【図３】図３は、実施形態のコネクタ及びケーブルの斜視図である。
【図４】図４は、実施形態のコネクタの斜視図である。
【図５】図５は、実施形態のコネクタ及びケーブルの左側面図である。
【図６】図６は、実施形態のコネクタ及びケーブルの平面図である。
【図７】図７は、図６のＡ−Ａ断面図である。
【図８】図８は、図６のＢ−Ｂ断面図である。
【図９】図９は、実施形態のコネクタ及びケーブルの左側面図である。
【図１０】図１０は、実施形態のコネクタ及びケーブルの平面図である。
【図１１】図１１は、図１０のＣ−Ｃ断面図である。
【図１２】図１２は、図１０のＤ−Ｄ断面図である。
【発明を実施するための形態】
【００１６】
以下、本開示のコネクタの実施形態を図面に基づいて説明する。なお、この実施形態により発明が限定されるものではない。また、下記実施形態における構成要素には、当業者が置換可能かつ容易なもの、あるいは実質的に同一のものが含まれる。
【００１７】
（実施形態）
図１は、実施形態のコネクタ及びケーブルの斜視図である。図２は、実施形態のコネクタの斜視図である。図３は、実施形態のコネクタ及びケーブルの斜視図である。図４は、実施形態のコネクタの斜視図である。
【００１８】
図１に示すように、実施形態のコネクタ１は、ケーブル８と基板９とを接続するための装置である。コネクタ１は、基板９に固定される。ケーブル８は、フレキシブル回路基板（Flexible  Printed  Circuit：ＦＰＣ）又はフレキシブルフラットケーブル（Flexible  Flat  Cable：ＦＦＣ）等である。ケーブル８は、可撓性を有する薄い板状のケーブルである。基板９は、プリント基板であり、複数の電子部品を備える。
【００１９】
以下の説明において、ＸＹＺ直交座標系が用いられる。Ｚ軸は、基板９に対して直交する。Ｘ軸は、コネクタ１の長手方向に平行である。Ｙ軸は、Ｘ軸及びＺ軸の両方に対して直交する。Ｘ軸に沿う方向はＸ方向と記載され、Ｙ軸に沿う方向はＹ方向と記載され、Ｚ軸に沿う方向はＺ方向と記載される。Ｚ方向のうち、基板９からコネクタ１に向かう方向を＋Ｚ方向とする。Ｙ方向のうち、ケーブル８から後述するインシュレータ２に向かう方向を＋Ｙ方向とする。＋Ｚ方向を上として＋Ｙ方向を見た場合の右方向を＋Ｘ方向とする。
【００２０】
図２に示すように、コネクタ１は、複数のコンタクト４と、インシュレータ２と、アクチュエータ３と、を備える。複数のコンタクト４は、インシュレータ２に保持される。複数のコンタクト４は、Ｘ方向に所定の間隔を空けて並べられる。コンタクト４は、基板９に固定される。コンタクト４は、ケーブル８を把持する。コンタクト４は、基板９とケーブル８とを電気的に接続する。
【００２１】
図５は、実施形態のコネクタ及びケーブルの左側面図である。図６は、実施形態のコネクタ及びケーブルの平面図である。図７は、図６のＡ−Ａ断面図である。図８は、図６のＢ−Ｂ断面図である。図９は、実施形態のコネクタ及びケーブルの左側面図である。図１０は、実施形態のコネクタ及びケーブルの平面図である。図１１は、図１０のＣ−Ｃ断面図である。図１２は、図１０のＤ−Ｄ断面図である。図１、図２及び図５から図８は、第後述する第１状態を示す。第１状態は、アクチュエータ３が閉じた状態である。図３、図４及び図９から図１２は、後述する第２状態を示す。第２状態は、アクチュエータ３が開いた状態である。
【００２２】
図４に示すように、インシュレータ２は、２つの端壁２１と、後壁２３と、を備える。端壁２１は、Ｘ軸に対して直交する板状である。後壁２３は、Ｙ軸に対して直交する板状である。２つの端壁２１は、後壁２３によって接続されている。
【００２３】
図７に示すように、後壁２３は、上面２３ａと、第１主面２３ｃと、背面２３ｂと、前面２３ｆと、を備える。上面２３ａは、Ｚ軸に対して直交し且つ＋Ｚ方向を向く表面である。第１主面２３ｃは、Ｙ軸に対して直交し且つ−Ｙ方向を向く表面である。第１主面２３ｃは、ケーブル８に面する表面である。背面２３ｂは、Ｙ軸に対して直交し且つ＋Ｙ方向を向く表面である。背面２３ｂは、第１主面２３ｃはとは反対側の表面である。前面２３ｆは、Ｙ軸に対して直交し且つ−Ｙ方向を向く表面である。前面２３ｆは、背面２３ｂから最も遠い表面である。また、図４及び図７に示すように、後壁２３は、２つの凹部２３５を備える。凹部２３５は、上面２３ａに設けられた溝である。
【００２４】
アクチュエータ３は、インシュレータ２に取り付けられる。アクチュエータ３は、インシュレータ２に対して回転できる。アクチュエータ３は、図５に示す回転軸Ｒを中心に回転する。回転軸Ｒは、Ｘ軸と平行である。すなわち、回転軸Ｒは、基板９と平行である。
【００２５】
図２に示すように、アクチュエータ３は、２つの側壁３１と、第１プレート３３と、第２プレート３４と、を備える。側壁３１は、Ｘ軸に対して直交する板状である。側壁３１は、アクチュエータ３のＸ方向の端部に位置する。第１プレート３３は、側壁３１に対して直交する板状である。第２プレート３４は、側壁３１及び第１プレート３３に対して直交する板状である。２つの側壁３１は、第１プレート３３及び第２プレート３４によって接続されている。第１プレート３３及び第２プレート３４によって、アクチュエータ３の強度が向上する。
【００２６】
Ｚ方向から見て、２つの側壁３１は、コンタクト４からずれた位置に配置されている。すなわち、２つの側壁３１は、平面視でコンタクト４に重ならない。＋Ｘ方向側の側壁３１は、複数のコンタクト４のうち＋Ｘ方向側の端部に位置するコンタクト４に対して、＋Ｘ方向に位置する。−Ｘ方向側の側壁３１は、複数のコンタクト４のうち−Ｘ方向側の端部に位置するコンタクト４に対して、−Ｘ方向に位置する。
【００２７】
図５及び図７に示すように、側壁３１は、基部３１１と、シャフト３１９と、嵌合部３１３と、凸部３１５と、位置規制部３１２と、を備える。図７に示すように、基部３１１は、上面３１１ａと、下面３１１ｄと、第２主面３１１ｃと、端面３１１ｂと、を備える。第２主面３１１ｃは、アクチュエータ３がケーブル８に近付く方向に回転させられた時に第１主面２３ｃに面する表面である。端面３１１ｂは、第２主面３１１ｃとは反対側に位置する表面である。端面３１１ｂは、第２主面３１１ｃと平行である。
【００２８】
以下の説明において、第２主面３１１ｃが第１主面２３ｃに平行である状態は、第１状態と記載される。第２主面３１１ｃが第１主面２３ｃに対して直交する状態は、第２状態と記載される。第２状態では、ケーブル８をインシュレータ２とアクチュエータ３との間に挿入することが可能である。ケーブル８がインシュレータ２とアクチュエータ３との間に挿入された後、アクチュエータ３がケーブル８に近付く方向へ回転させられる。アクチュエータ３が所定の位置まで回転すると、インシュレータ２に設けられたロック機構によってアクチュエータ３が位置決めされる。
【００２９】
図６に示すように、シャフト３１９は、基部３１１からＸ方向に突出する。シャフト３１９は、インシュレータ２の端壁２１に取り付けられる。アクチュエータ３は、シャフト３１９を中心に回転する。回転軸Ｒは、シャフト３１９をＸ軸に対して直交する平面で切った断面の中心を通る直線である。
【００３０】
図７に示すように、嵌合部３１３は、基部３１１から、第２主面３１１ｃに対して直交する方向に突出する。図７に示すように、第１状態で、嵌合部３１３は、基部３１１から＋Ｙ方向に突出する。第１状態で、嵌合部３１３は、インシュレータ２の第１主面２３ｃに対して＋Ｙ方向に位置し、凹部２３５に嵌まる。第１状態で、嵌合部３１３は、インシュレータ２の背面２３ｂから突出する。
【００３１】
図７に示すように、凸部３１５は、基部３１１から、第２主面３１１ｃに対して直交する方向に突出する。第１状態で、凸部３１５は、インシュレータ２の第１主面２３ｃに対して−Ｙ方向に位置し、且つ凹部２３５に対して−Ｚ方向に位置する。第１状態で、凸部３１５は、第１主面２３ｃに隙間を空けて対向する。第１状態で、凸部３１５は、ケーブル８の耳部８１の＋Ｚ方向側を覆う。これにより、ケーブル８が抜け止めされる。
【００３２】
位置規制部３１２は、アクチュエータ３の回転角度を規制するための部材である。図５に示すように、位置規制部３１２は、第２主面３１１ｃに対して直交する方向に基部３１１から突出している。位置規制部３１２は、回転軸Ｒに対して直交し且つ第２主面３１１ｃと平行な方向（第１状態での＋Ｚ方向）に基部３１１から突出している。位置規制部３１２は、上面３１２ａと、端面３１２ｂと、を備える。
【００３３】
図２に示すように、第１プレート３３は、一方の側壁３１から他方の側壁３１に亘る部材である。第１プレート３３は、第２主面３１１ｃに対して直交する板状である。第１状態で、第１プレート３３は、Ｚ軸に対して直交する板状である。図８に示すように、第１プレート３３は、上面３３ａと、下面３３ｂと、を備える。図６に示すように、第１プレート３３は、切欠き３３１を備える。切欠き３３１は、第１状態においてＺ方向でコンタクト４の少なくとも１つに重なる。これにより、Ｚ方向からコンタクト４の実装状態を確認することが可能となる。
【００３４】
図２に示すように、第２プレート３４は、一方の側壁３１から他方の側壁３１に亘る部材である。第２プレート３４は、第１プレート３３に対して直交する板状である。第１状態で、第２プレート３４は、Ｙ軸に対して直交する板状である。図８に示すように、第２プレート３４は、第１主面２３ｃに面する第３主面３４ｃと、第３主面３４ｃとは反対側の裏面３４ｂと、を備える。第３主面３４ｃ及び裏面３４ｂは、第１プレート３３の上面３３ａ及び下面３３ｂに対して直交する。
【００３５】
図１１に示すように、第２状態で、基部３１１の下面３１１ｄがインシュレータ２の前面２３ｆに接する。これにより、アクチュエータ５の過剰な回転が抑制される。図１２に示すように、第２状態で、第２プレート３４の第３主面３４ｃは、＋Ｚ方向を向く。このため、第３主面３４ｃは、コネクタ１を基板９に実装する時の吸着面として用いることができる。図９に示すように、第２状態で、位置規制部３１２は、第２状態で基板９に面する。例えば本実施形態においては、位置規制部３１２は、第２状態で基板９に接する。これにより、アクチュエータ５の過剰な回転が抑制される。図１０に示すように、第２状態で、側壁３１及び第２プレート３４によってコンタクト４のテール部（基板９に固定される部分）が覆われる。これにより、コンタクト４にはんだ付けが施される際に、はんだのフラックス飛沫が飛散しにくくなる。また、外部からコンタクト４のテール部の周辺に異物が入り込みにくくなる。
【００３６】
第２状態からアクチュエータ３を回転させる時、作業者の指又はアクチュエータ３を操作するための工具を備える組立機械が第２プレート３４を持ち上げる。すなわち、第２プレート３４が操作部分となる。以下の説明において、組立機械が備える工具は、単に工具と記載される。第３主面３４ｃが第１主面２３ｃと平行になるまでアクチュエータ３が回転すると、インシュレータ２に設けられたロック機構によってアクチュエータ３が位置決めされる。これにより、コネクタ１は第１状態となる。
【００３７】
図７に示すように、第１状態で、基部３１１の上面３１１ａは、Ｚ軸に対して直交し且つ＋Ｚ方向を向く。第１状態で、基部３１１の下面３１１ｄは、Ｚ軸に対して直交し且つ−Ｚ方向を向く。第１状態で、基部３１１の第２主面３１１ｃは、Ｙ軸に対して直交し且つ＋Ｙ方向を向く。第１状態で、第２主面３１１ｃは、ケーブル８の耳部８１に面する。第１状態で、基部３１１の端面３１１ｂは、Ｙ軸に対して直交し且つ−Ｙ方向を向く。図８に示すように、第１状態で、第２プレート３４の第３主面３４ｃは、ケーブル８に面する。第１状態で、第１プレート３３の下面３３ｂは、Ｚ軸に対して直交し、基板９に面する。図７に示すように、第１状態で、位置規制部３１２の上面３１２ａは、＋Ｚ方向を向く。第１状態で、位置規制部３１２は、基部３１１の端面３１１ｂに対して−Ｙ方向に位置する。第１状態で、位置規制部３１２の＋Ｚ方向の先端は、基部３１１の上面３１１ａに対して＋Ｚ方向に位置する。第１状態で、基部３１１の上面３１１ａは、インシュレータ２の上面２３ａよりも＋Ｚ方向に位置する。これにより、作業者の指又は工具を用いたアクチュエータ３の操作が容易になる。
【００３８】
作業者がコネクタ１を第１状態から第２状態にする場合、作業者は、第１プレート３３又は位置規制部３１２を指で押し下げる。これにより、アクチュエータ３が回転する。インシュレータ２に設けられたロック機構が解除される。この時、作業者は、第１プレート３３又は位置規制部３１２を過剰に押し下げることがある。又は、作業者は、第１プレート３３又は位置規制部３１２に過剰な力を加えることがある。これに対して、本実施形態では、図１１に示すように、アクチュエータ３がケーブル８から遠ざかる方向に回転させられた時に、位置規制部３１２が基板９に接する。これにより、アクチュエータ３の過剰な回転が抑制される。図９に示すように、第２状態でのアクチュエータ３において、位置規制部３１２が回転軸Ｒに対して−Ｙ方向に最も遠い位置にある。このため、例えば嵌合部３１３等が過剰に押されたとしてもシャフト３１９にモーメントがかかりにくい。このため、アクチュエータ３の破損が抑制される。また、図１１及び図１２に示すように、アクチュエータ３がケーブル８から遠ざかる方向に回転させられた時に、基部３１１の下面３１１ｄ及び第１プレート３３の下面３３ｂがインシュレータ２の前面２３ｆに接する。これにより、アクチュエータ３の過剰な回転が抑制される。第１プレート３３及び第２プレート３４によってアクチュエータ３の強度が高くなっているので、アクチュエータ３の破損が抑制される。さらに、第１プレート３３及び第２プレート３４の両端に側壁３１があるので、アクチュエータ３の強度がより高くなっている。このため、アクチュエータ３の破損がより抑制される。また、アクチュエータ３が撓みにくい。
【００３９】
組立機械がコネクタ１を第１状態から第２状態にする場合、組立機械は、工具を位置規制部３１２の＋Ｚ方向側に位置させる。そして、組立機械は、工具を所定の位置まで−Ｚ方向に移動させる。工具は、位置規制部３１２に接し、位置規制部３１２を押し下げる。これにより、アクチュエータ３が回転する。工具は、プログラミングされた長さを動く。仮にアクチュエータ３が障害物に引っ掛かる等の不具合が生じた場合でも、アクチュエータ３を強制的に押し下げる。このため、アクチュエータ３が破損する可能性がある。これに対して、工具が回転軸Ｒから遠い位置規制部３１２を押すことによって、アクチュエータ３を回転させるためにアクチュエータ３に加えられる力が小さくなる。このため、アクチュエータ３の破損が抑制される。また、工具は、２つの側壁３１が備えるそれぞれの位置規制部３１２を押す。これにより、アクチュエータ３に捻れが生じにくくなり、アクチュエータ３の動きが安定する。また、位置規制部３１２の上面３１２ａは、Ｘ方向から見て円弧状であってもよい。これにより、位置規制部３１２の工具と接触する部分の位置がずれにくくなる。アクチュエータ３が所定量回転した後、組立機械は、工具を＋Ｚ方向に移動させる。その後、組立機械は、工具を側壁３１又は第２プレート３４に接触させ、側壁３１又は第２プレート３４を押し下げる。これにより、コネクタ１が第２状態となる。
【００４０】
また、組立機械は、以下の方法でコネクタ１を第１状態から第２状態にしてもよい。組立機械は、工具を嵌合部３１３の＋Ｙ方向側に位置させる。そして、組立機械は、工具を所定の位置まで−Ｙ方向に移動させる。工具は、嵌合部３１３に接し、嵌合部３１３を−Ｙ方向に移動させる。これにより、アクチュエータ３が回転する。第１状態で基部３１１の上面３１１ａがインシュレータ２の上面２３ａよりも＋Ｚ方向に位置するので、組立機械は、工具をインシュレータ２に当てないように移動させられる。アクチュエータ３が所定量回転した後、組立機械は、工具を＋Ｚ方向に移動させる。その後、組立機械は、工具を側壁３１又は第２プレート３４に接触させ、側壁３１又は第２プレート３４を押し下げる。これにより、コネクタ１が第２状態となる。
【００４１】
なお、位置規制部３１２は、必ずしも第２主面３１１ｃが第１主面２３ｃに対して直交する時に基板９に接しなくてもよい。位置規制部３１２が基板９に接する時の第２主面３１１ｃと第１主面２３ｃとがなす角度は、特に限定されない。すなわち、位置規制部３１２は、第２主面３１１ｃが第１主面２３ｃに対して所定の角度をなす時に基板９に接すればよい。
【００４２】
なお、第１プレート３３は、必ずしも第２主面３１１ｃが第１主面２３ｃに対して直交する時にインシュレータ２に接しなくてもよい。第１プレート３３がインシュレータ２に接する時の第２主面３１１ｃと第１主面２３ｃとがなす角度は、特に限定されない。すなわち、第１プレート３３は、第２主面３１１ｃが第１主面２３ｃに対して所定の角度をなす時にインシュレータ２に接すればよい。
【００４３】
本実施形態においては、ケーブル８がコネクタ１に挿入された後、アクチュエータ３を基板９側から押し上げることによってケーブル８がコネクタ１に固定される。しかし、必ずしもこの方法でケーブル８がコネクタ１に固定されなくてもよい。例えば、ケーブル８がコネクタ１に挿入された後、アクチュエータ３を基板９側に押し下げることによってケーブル８がコネクタ１に固定されてもよい。
【００４４】
以上で説明したように、コネクタ１は、インシュレータ２と、コンタクト４と、アクチュエータ３と、を備える。インシュレータ２は、ケーブル８に面する表面である第１主面２３ｃを備える。コンタクト４は、ケーブル８と基板９とを電気的に接続する。アクチュエータ３は、基板９に平行な回転軸Ｒを中心に回転できる。アクチュエータ３は、回転軸Ｒに平行な方向の端部に位置する側壁３１を備える。側壁３１は、アクチュエータ３がケーブル８に近付く方向に回転させられた時に第１主面２３ｃに面する表面である第２主面３１１ｃを備える基部３１１と、基部３１１から突出しアクチュエータ３の回転を規制する位置規制部３１２と、を備える。これにより、位置規制部３１２によってアクチュエータ３の過剰な回転が抑制される。したがって、コネクタ１は、アクチュエータ３の破損を抑制できる。
【００４５】
コネクタ１において、位置規制部３１２は、アクチュエータ３がケーブル８から遠ざかる方向に回転させられた時に、基板９に接する。これにより、アクチュエータ３が過剰に回転する前に、位置規制部３１２が基板９に接する。このため、アクチュエータ３の過剰な回転が抑制される。したがって、コネクタ１は、アクチュエータ３の破損を抑制できる。
【００４６】
コネクタ１において、位置規制部３１２は、基部３１１から、第２主面３１１ｃのある方向とは反対方向に突出する。これにより、位置規制部３１２を基板９に接触させることが容易になる。
【００４７】
コネクタ１において、位置規制部３１２は、基部３１１から、回転軸Ｒに対して直交し且つ第２主面３１１ｃと平行な方向（第１状態での＋Ｚ方向）に突出する。これにより、アクチュエータ３を回転させる時の操作部分として位置規制部３１２を用いることによって、操作が容易になる。
【００４８】
コネクタ１において、第２主面３１１ｃが第１主面２３ｃと平行である状態（第１状態）で、側壁３１は、インシュレータ２よりも、回転軸Ｒに対して直交し且つ第２主面３１１ｃと平行な方向（＋Ｚ方向）に突出する。これにより、作業者の指又は工具を用いたアクチュエータ３の操作が容易になる。
【００４９】
基部３１１は、アクチュエータ３がケーブル８から遠ざかる方向に回転させられた時に、インシュレータ２に接する。これにより、アクチュエータ３が過剰に回転する前に、基部３１１がインシュレータ２に接する。このため、アクチュエータ３の過剰な回転が抑制される。したがって、コネクタ１は、アクチュエータ３の破損を抑制できる。
【００５０】
コネクタ１において、アクチュエータ３は、２つの側壁３１と、一方の側壁３１から他方の側壁３１に亘る第１プレート３３と、を備える。第１プレート３３は、アクチュエータ３がケーブル８から遠ざかる方向に回転させられた時に、インシュレータ２に接する。これにより、アクチュエータ３が過剰に回転する前に、第１プレート３３がインシュレータ２に接する。このため、アクチュエータ３の過剰な回転が抑制される。したがって、コネクタ１は、アクチュエータ３の破損を抑制できる。
【００５１】
コネクタ１において、アクチュエータ３は、一方の側壁３１から他方の側壁３１に亘り且つ第１プレート３３に対して交差する第２プレート３４を備える。これにより、アクチュエータ３の強度が高くなるので、アクチュエータ３の破損が抑制される。また、アクチュエータ３に力が加えられた時にアクチュエータ３が撓みにくくなる。このため、アクチュエータ３の動きが安定する。
【００５２】
コネクタ１において、基板９に対して直交する方向から見て、側壁３１の位置は、複数のコンタクト４の位置に対してずれている。これにより、コンタクト４の実装状態を確認しやすくなる。
【符号の説明】
【００５３】
１  コネクタ
２  インシュレータ
２１  端壁
２３  後壁
２３５  凹部
２３ａ  上面
２３ｂ  背面
２３ｃ  第１主面
２３ｆ  前面
３  アクチュエータ
３１  側壁
３１１  基部
３１１ａ  上面
３１１ｂ  端面
３１１ｃ  第２主面
３１１ｄ  下面
３１２  位置規制部
３１２ａ  上面
３１２ｂ  端面
３１３  嵌合部
３１５  凸部
３１９  シャフト
３３  第１プレート
３３１  切欠き
３３ａ  上面
３３ｂ  下面
３４  第２プレート
３４ｂ  裏面
３４ｃ  第３主面
４  コンタクト
８  ケーブル
８１  耳部
９  基板
【図１】
2019153540.tif 000003
【図２】
2019153540.tif 000004
【図３】
2019153540.tif 000005
【図４】
2019153540.tif 000006
【図５】
2019153540.tif 000007
【図６】
2019153540.tif 000008
【図７】
2019153540.tif 000009
【図８】
2019153540.tif 000010
【図９】
2019153540.tif 000011
【図１０】
2019153540.tif 000012
【図１１】
2019153540.tif 000013
【図１２】
2019153540.tif 000014